(57)【要約】【課題】歯科医院で使用する圧縮空気を供給するエアーコンプレッサ等の設備機械を収容する機械室を提供する。【解決手段】歯科用セントラルバキューム機械室の構造であって、当該機械室１を構成する区画壁部材３又は骨組み部材７内にエアータンクを備え、前記骨組み部材７をパイプ材により構成し、当該骨組み部材７自体をエアータンクに構成してあり、かつ前記エアータンク内のエアーの殺菌作用を行う殺菌手段を備えた構成である。【選択図】      図１
2004313457.tif 000002
【特許請求の範囲】
【請求項１】
歯科用セントラルバキューム機械室の構造であって、当該機械室を構成する区画壁部材又は骨組み部材内にエアータンクを備えたことを特徴とする歯科用セントラルバキューム機械室。
【請求項２】
請求項１に記載の歯科用セントラルバキューム機械室において、骨組み部材をパイプ材により構成し、当該骨組み部材自体をエアータンクに構成してあることを特徴とする歯科用セントラルバキューム機械室。
【請求項３】
請求項１又は２に記載の歯科用セントラルバキューム機械室において、エアータンク内のエアーの殺菌作用を行う殺菌手段を備えたことを特徴とする歯科用セントラルバキューム機械室。
【発明の詳細な説明】
【０００１】
【発明の属する技術分野】
本発明は、歯科医院において使用する吸引用ブロアやエアーコンプレッサ等の設備機械を収納する歯科用セントラルバキューム機械室に係り、さらに詳細には、当該歯科用セントラルバキューム機械室を構成する壁内又は柱等の骨組み部材内にエアータンクを備えた歯科用セントラルバキューム機械室に関する。
【０００２】
【従来の技術】
従来、歯科医院を開業するために医院を建設する場合、玄関，ホール，待合室，受付，診察室，技工室及び設備機械としてのＸ線撮影器を設置するレントゲン室等に関しては考慮されるものの、例えば診察室や技工室などで使用される圧縮空気を供給するためのエアーコンプレッサ，気液分離装置や吸引用のブロア等の裏方的な設備機械を設置する機械室に関する考慮が払われていないのが一般的である（例えば特許文献１参照）。
【０００３】
【特許文献１】
特開２０００−１７０４０２号公報
【０００４】
【発明が解決しようとする課題】
従来のように、例えばコンプレッサ等の設備機械を収納する機械室が考慮されていない場合には、例えば階段裏などの適宜の空間に設備機械を設置することがある。この場合、各種の設備機械を平面的に配置することができず、例えば架台を作成して当該架台に各種機械を配置することがある。
【０００５】
このように、各種機械を立体的に配置する場合には省スペース内に比較的多くの機械を収納することができるものの、狭い空間に多くの機械が立体的に配置してあることにより、保守点検が厄介であるという問題がある。
【０００６】
また、医院の建設時に予め機械室を考慮した場合には、必要以上に広い占有面積をとることが多く、無駄なスペースが多いと共に建設費用が高く付くという問題がある。
【０００７】
【課題を解決するための手段】
本発明は、前述のごとき従来の問題に鑑みてなされたもので、請求項１に係る発明は、歯科用セントラルバキューム機械室の構造であって、当該機械室を構成する区画壁部材又は骨組み部材内にエアータンクを備えた構成である。
【０００８】
請求項２に係る発明は、請求項１に記載の歯科用セントラルバキューム機械室において、骨組み部材をパイプ材により構成し、当該骨組み部材自体をエアータンクに構成してなるものである。
【０００９】
請求項３に係る発明は、請求項１又は２に記載の歯科用セントラルバキューム機械室において、エアータンク内のエアーの殺菌作用を行う殺菌手段を備えた構成である。
【００１０】
【発明の実施の形態】
本発明の実施形態に係る歯科用セントラルバキューム機械室１は、図１に概念的，概略的に示すように前後左右の壁部及び天井，床部を構成する各区画部材３によって内部と外部とを区画してある。前記各区画部材３によって区画された機械室１には、エアーコンプレッサ５，気液分離装置（図示省略）や吸引用のブロア（図示省略）等が収容されるものである。
【００１１】
前記機械室１を構成する前記区画部材３内には柱，桁などのように機械室１の構成部を支える支え部材となる骨組み部材７が内装されている。この骨組み部材７の一部又は全体は、パイプ材よりなるものであって一対の柱部材９Ａ，９Ｂを備えると共に上記柱部材９Ａ，９Ｂを着脱可能に連結した連結部材１１を備えている。そして一方の柱部材９Ａには、前記エアーコンプレッサ５と接続した接続部材１３が着脱可能に連結してあり、他方の柱部材９Ｂには減圧弁１５を介して接続管１７が接続してある。
【００１２】
前記一対の柱部材９Ａ，９Ｂ及び連結部材１１は前記エアーコンプレッサ５によって圧縮された圧縮空気を貯留するエアータンクをなすものであって、適宜位置には透明な窓１９が形成してあり、この窓１９に対応した位置には、エアータンク内の殺菌作用を行う殺菌手段の一例としての殺菌灯（図示省略）が配置してある。なお、エアータンク内に殺菌手段を設けた構成の場合には前記窓１９は省略することができる。
【００１３】
前記接続部材１３は、前記エアーコンプレッサ５から供給される圧縮空気をクリーンエアにするために、エアードライヤーに構成してある。
【００１４】
上記構成より明らかなように、前記骨組み部材７は、機械室１を区画する区画壁部材３内に内装してあって、エアータンクをなすものであるから、前記エアーコンプレッサ５自体にはエアータンクが不要となり、エアーコンプレッサ５自体の小型化を図ることができると共に、機械室１のユニット化を図り、収容積を小さくすることができ、全体としての省スペース化を図ることができるものである。
【００１５】
ところで、前記説明においては、機械室１を構成する支え部材としての骨組み部材７自体をエアータンクと兼用する場合について説明したが、前記区画壁部材３内にパイプ状のエアータンクを配置した構成とすることもできる。
【００１６】
また、図２に概略的に示すように、支柱２１をパイプ材により構成すると共に、当該支柱２１に備えた接続具２３に中空状の区画壁部材２５を組付け固定する構成として、前記支柱２１自体又は区画壁部材２５自体をエアータンクとすることも可能である。
【００１７】
上記構成においては、前述した実施形態と同様の効果を奏し得ると共に、支柱２１及び区画壁部材２５を規格化し、複数の支柱２１及び複数の区画壁部材２５を組合せて機械室を構成するとき、前記支柱２１及び区画壁部材２５の増減を行うことにより、機械室の大きさを調節できることになり、かつユニット化が容易なものである。
【００１８】
さらには、支柱を用いることなく壁部材によって機械室を区画構成する場合には、図３に概略的に示すように、内部に中空部２７及び補強部材２９を備えたブロック構成の区画壁部材３１を適宜の固定具（図示省略）を介して立体的に組合せて機械室１を区画構成する構造とすることもできる。この構造においては、前記区画壁部材３１における中空部２７内にエアータンク（図示省略）を収容する構成，一部の区画壁部材３１における中空部２７を密閉構成として区画壁部材３１自体をエアータンクとすることも可能である。
【００１９】
上記構成においても前述した実施形態と同様の効果を奏し得ると共に機械室のユニット化が容易なものである。また大小複数の区画壁部材３１を適宜に組合せることにより機械室１の容積を所望の大きさにすることができるものである。
【００２０】
以上のごとき説明より理解されるように、エアーコンプレッサ５等の設備機械を収容する機械室を構成する区画壁部材又は機械室を構成する支え部材としての支柱や桁部材等の骨組み部材内にエアータンクを備えるものであるから、エアーコンプレッサの小型化を図ることができると共に機械室の小型化を図ることができ、狭い空間に対して容易に配置可能となり、前述したごとき従来の問題を解消し得るものである。
【００２１】
なお、エアータンクを内装した骨組み部材及び区画壁部材としては、歯科医院を建設するときの歯科医院自体の骨組み部材及び壁部材とすることも可能なものである。
【００２２】
【発明の効果】
以上のごとき説明より理解されるように、本発明によれば、歯科医院で使用する圧縮空気を供給するエアーコンプレッサ等の設備機械を収容する機械室の区画壁部材又は支え部材としての骨組み部材内にエアータンクを備えた構成であるから、コンプレッサ自体の小型化を図ることができ、延いては機械室の省スペース化を図ることができ、前述したごとき従来の問題を解消することができるものである。
【図面の簡単な説明】
【図１】歯科医院に使用するエアーコンプレッサ等の設備機械を収容する機械室の構成を概念的，概略的に示した斜視説明図である。
【図２】機械室をユニット化するための支柱と区画壁部材とを組合せる場合の構成を概念的，概念的に示した斜視説明図である。
【図３】機械室を構成するに際して支柱を省略した場合の構造を示す概念的，概略的な斜視説明図である。
【符号の説明】
１  機械室
３，２５，３１  区画壁部材
５  エアーコンプレッサ
７  骨組み部材
９  Ａ，Ｂ支柱部材
１１  連結部材
１３  接続部材
１５  減圧弁
１７  接続管
１９  窓
２１  支柱
２３  接続具
２７  中空部
２９  補強部材
【図１】
2004313457.tif 000003
【図２】
2004313457.tif 000004
【図３】
2004313457.tif 000005